Podtech/llm-jp-corpus-v4-ja_patent huggingface dataset:
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
治療有効量の活性薬剤を含む組成物と、
亜鉛、医薬として許容される亜鉛の塩、及びそれらの混合物からなる群から選択される亜鉛化合物と、
マイクロニードルのアレイとを備え、
前記組成物の少なくとも一部が前記マイクロニードルの少なくとも一部の上のコーティングとして存在し、
前記亜鉛化合物が、亜鉛の無機塩を含み、
前記活性薬剤が、タンパク質又はペプチドである、医療デバイス。
【請求項２】
前記亜鉛化合物が、亜鉛の二価塩を含む、請求項１に記載の医療デバイス。
【請求項３】
前記亜鉛化合物が、塩化亜鉛又は酢酸亜鉛を含む、請求項１又は２に記載の医療デバイス。
【請求項４】
亜鉛化合物の、活性薬に対するモル比が、０．１〜２．０である、請求項１〜３のいずれか一項に記載の医療デバイス。
【請求項５】
前記亜鉛化合物の量が、組成物の総重量の１％〜８％である、請求項１〜４のいずれか一項に記載の医療デバイス。
【請求項６】
前記亜鉛化合物の量が、組成物の総重量の２％〜６％である、請求項１〜５のいずれか一項に記載の医療デバイス。
【請求項７】
前記活性薬剤が、ヒト成長ホルモン（ｈＧＨ）、組織プラスミノーゲン活性化因子（ＴＰＡ）、カルシトニン遺伝子関連ペプチド（ＣＧＲＰ）、黄体形成ホルモン放出ホルモン（ＬＨＲＨ）、ゴセレリン、ロイプロリド、ブセレリン、トリプトレリン、ゴナドレリン、ナプファレリン、メノトロピン、卵胞刺激ホルモン（ＦＳＨ）、黄体形成ホルモン（ＬＨ）、ヒト閉経期ゴナドトロピン（ｈＭＧ）、ヒト絨毛性ゴナドトロピン（ｈＣＧ）、バソプレシン、デスモプレシン、インスリン、副腎皮質刺激ホルモン（ＡＣＴＨ）、ＡＣＴＨ（１−２４）、カルシトニン、パラチロイドホルモン（ＰＴＨ）、パラチロイドホルモン拮抗剤、パラチロイドホルモン関連タンパク質（ＰＴＨｒＰ）、オキシトシン、デアミノ［Ｖａｌ４，Ｄ−Ａｒｇ８］アルギニンバソプレシン、インターフェロンα、インターフェロンβ、インターフェロンγ、腫瘍壊死因子（ＴＮＦ）、エリスロポエチン（ＥＰＯ）、顆粒球マクロファージコロニー刺激因子（ＧＭ−ＣＳＦ）、顆粒球コロニー刺激因子（Ｇ−ＣＳＦ）、インターロイキン、インターロイキン−２（ＩＬ−２）、インターロイキン−１０（ＩＬ−１０）、グルカゴン及び成長ホルモン放出因子（ＧＲＦ）からなる群から選択される、請求項１〜６のいずれか一項に記載の医療デバイス。
【請求項８】
前記組成物の５０重量％よりも多くが、前記マイクロニードル上のコーティングとして存在する、請求項１〜７のいずれか一項に記載の医療デバイス。
【請求項９】
前記組成物の９０重量％よりも多くが、前記マイクロニードル上のコーティングとして存在する、請求項１〜８のいずれか一項に記載の医療デバイス。
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
レトラクタ／プロテクタであって、
可撓性外側リングと、
内側リングと、
前記可撓性外側リングと前記内側リングとの間に延びる可撓性シースと、
前記可撓性シースを通って近位端部のところの前記可撓性外側リングから遠位端部のところの前記内側リングまで延びる器械接近チャネルを定める長手方向軸線と、
第１の端部および第２の端部を備えた少なくとも１つの剛性セグメントと、を有し、前記少なくとも１つの剛性セグメントは、前記可撓性外側リングの一部に取り外し可能に連結され、それにより前記可撓性外側リングの一部の剛性を高め、前記少なくとも１つの剛性セグメントに直接的に連結されていない前記可撓性外側リングの一部は剛性が増大しないようになっている、レトラクタ／プロテクタ。  
【請求項２】
前記少なくとも１つの剛性セグメントの各々は、前記可撓性外側リングにスナップ装着されるようになっている、請求項１に記載のレトラクタ／プロテクタ。
【請求項３】
第１の剛性セグメントは、他の剛性セグメントとインターロック可能である、請求項１に記載のレトラクタ／プロテクタ。
【請求項４】
前記第１の剛性セグメントは、前記第１の剛性セグメントの第１の端部のところに位置する凹部および前記第１の剛性セグメントの第２の端部のところに位置するボスを更に有し、第２の剛性セグメントは、前記第２の剛性セグメントの第１の端部のところに位置する凹部および前記第２の剛性セグメントの第２の端部のところに位置するボスを更に有し、前記第１の剛性セグメントの前記凹部は、前記第２の剛性セグメントの前記ボスを受け入れ、それにより前記第１の剛性セグメントと前記第２の剛性セグメントをインターロックするようになっている、請求項５に記載のレトラクタ／プロテクタ。
【請求項５】
２つ又はそれ以上の剛性セグメントが、前記可撓性外側リングの異なる部分に直接的に連結され、それにより、前記可撓性外側リングの第１組の部分が２つ又はそれ以上の剛性セグメントと接触し、前記可撓性外側リングの第２組の部分が２つ又はそれ以上の剛性セグメントと接触しないようになっている、請求項１に記載のレトラクタ／プロテクタ。
【請求項６】
２つ又はそれ以上の剛性セグメントが、前記可撓性外側リングの異なる部分に直接的に連結され、前記可撓性外側リングにどの剛性セグメントも連結されていない部分が、２つの隣接する剛性セグメントの間に設けられている、請求項１に記載のレトラクタ／プロテクタ。
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
携帯用気体交換装置の搬送装置であって、
−  患者の胴体を一周して、前記搬送装置が前記患者に支持されるように設計された少なくとも１本の第１の搬送ストラップと、
−  前記患者の少なくとも第１の肩にかけるように設計された少なくとも１本の第２の搬送ストラップと、
−  前記携帯用気体交換装置を締結するように設計された少なくとも１つの締結手段と、
を有し、
前記少なくとも１本の第２の搬送ストラップが、前記少なくとも１本の第１の搬送ストラップに接続されている、又は前記少なくとも１本の第１の搬送ストラップの周囲に少なくとも部分的に延びていることを特徴とする搬送装置。
【請求項２】
前記少なくとも１本の第２の搬送ストラップが、前記搬送装置及び前記搬送装置に取り付けられた部品の重量を分散させるように設計されている請求項１に記載の搬送装置。
【請求項３】
前記少なくとも１本の第１の搬送ストラップ及び／又は前記少なくとも１本の第２の搬送ストラップが、前記少なくとも１本の第１の搬送ストラップ及び／又は前記少なくとも１本の第２の搬送ストラップの長さを適応させるための手段を有する請求項１から２のいずれかに記載の搬送装置。
【請求項４】
前記患者の第２の肩を一周するようになっている第３の搬送ストラップを有する請求項１から３のいずれかに記載の搬送装置。
【請求項５】
前記少なくとも１本の第１の搬送ストラップ、前記少なくとも１本の第２の搬送ストラップ、及び前記第３の搬送ストラップのうちの少なくとも１つを開閉するための少なくとも１つの閉鎖手段を有する請求項１から４のいずれかに記載の搬送装置。
【請求項６】
前記少なくとも１つの閉鎖手段が、固着ファスナー及び／又は留付ファスナー及び／又は係合ファスナーを含む請求項５に記載の搬送装置。
【請求項７】
前記少なくとも１つの閉鎖手段が、閉鎖状態にあるときに、前記少なくとも１本の第２の搬送ストラップ及び／又は前記第３の搬送ストラップを前記少なくとも１本の第１の搬送ストラップに接続する請求項５から６のいずれかに記載の搬送装置。
【請求項８】
前記少なくとも１本の第１の搬送ストラップが、少なくとも前記閉鎖手段が閉鎖状態にあるときに、外側に向かって放射状に湾曲し、曲率半径が部分毎に異なる請求項５から７のいずれかに記載の搬送装置。
【請求項９】
前記少なくとも１本の第１の搬送ストラップ、前記少なくとも１本の第２の搬送ストラップ、及び前記第３の搬送ストラップのうちの少なくとも２つが、単一部品としてまとめて設計される請求項１から８のいずれかに記載の搬送装置。
【請求項１０】
少なくとも１本のケーブルを保持及び／又は固定するように設計されたケーブルホルダーを更に有する請求項１から９のいずれかに記載の搬送装置。
【請求項１１】
請求項１から１０のいずれかに記載の搬送装置と携帯用気体交換装置とを有する搬送システムであって、前記携帯用気体交換装置が、前記搬送装置の前記少なくとも１つの締結手段に対して補完的に設計された締結手段を有することを特徴とする搬送システム。
【請求項１２】
前記携帯用気体交換装置が、制御ユニットを有し、前記制御ユニットが、前記搬送装置及び／又は前記携帯用気体交換装置に締結されるように設計された締結手段を有する請求項１１に記載の搬送システム。
【請求項１３】
前記携帯用気体交換装置が、前記制御ユニットに接続するためのケーブルを有し、前記ケーブルが、前記搬送装置に形成されるケーブルホルダーに保持され得る請求項１２に記載の搬送システム。
【請求項１４】
接続するための前記携帯用気体交換装置及び／又は前記制御ユニットが、前記携帯用気体交換装置を前記制御ユニットに無線接続するための送信及び／又は受信ユニットを有する請求項１２に記載の搬送システム。
【請求項１５】
前記搬送システムが、周囲空気吸引部分を有する請求項１２から１４のいずれかに記載の搬送システム。
【請求項１６】
前記携帯用気体交換装置が、外部気体過圧エレメントを有しない請求項１２から１５のいずれかに記載の搬送システム。
【請求項１７】
前記携帯用気体交換装置が、前記第１の搬送ストラップに面し且つ前記第１の搬送ストラップに向かって内向きに湾曲する後方壁を有する筐体を有する請求項１１に記載の搬送システム。
【請求項１８】
前記後方壁の曲率が、前記第１の搬送ストラップの曲率と本質的に一致し、その結果、前記筐体の前記後方壁が、外側に向かって放射状に湾曲する前記第１の搬送ストラップと本質的に面一に当接する請求項１７に記載の搬送システム。
【請求項１９】
前記筐体が、平均幅、前記平均幅に対して垂直に延びる平均高さ、及び前記平均幅及び前記平均高さに対して垂直に延びる平均深さを有し、前記平均深さが前記後方壁から離れる方向に延在し、前記平均深さの最大サイズが、前記平均幅＋前記平均高さ＋前記平均深さの合計全長の２０％である請求項１７から１８のいずれかに記載の搬送システム。
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
配列番号１からなるＰ２３Ｈ認識配列を認識及び切断する組換えメガヌクレアーゼであって、第１のサブユニット及び第２のサブユニットを含み、
前記第１のサブユニットが前記Ｐ２３Ｈ認識配列の第１の認識ハーフサイトを認識し、且つ第１の超可変（ＨＶＲ１）領域を含み、
前記第２のサブユニットが前記Ｐ２３Ｈ認識配列の第２の認識ハーフサイトを認識し、且つ第２の超可変（ＨＶＲ２）領域を含み、
前記組換えメガヌクレアーゼは、配列番号７と少なくとも９７％の配列同一性を有するアミノ酸配列を含む、組換えメガヌクレアーゼ。
【請求項２】
前記第１のサブユニットが、配列番号７の残基１９８〜３４４と少なくとも９７％の配列同一性を有するアミノ酸配列を含み、前記第２のサブユニットが、配列番号７の残基７〜１５３と少なくとも９７％の配列同一性を有するアミノ酸配列を含む、請求項１に記載の組換えメガヌクレアーゼ。
【請求項３】
前記第１のサブユニットが、配列番号７の残基１９８〜３４４を含む、請求項１又は２に記載の組換えメガヌクレアーゼ。
【請求項４】
前記第２のサブユニットが、配列番号７の残基７〜１５３を含む、請求項１〜３のいずれか１項に記載の組換えメガヌクレアーゼ。
【請求項５】
配列番号７のアミノ酸配列を含む、請求項１〜４のいずれか１項に記載の組換えメガヌクレアーゼ。
【請求項６】
配列番号５からなる認識配列と比べて、配列番号１からなるＰ２３Ｈ認識配列を優先的に認識及び切断する、請求項１〜５のいずれか１項に記載の組換えメガヌクレアーゼ。
【請求項７】
請求項１〜６のいずれか１項に記載の組換えメガヌクレアーゼをコードする核酸配列を含む、単離されたポリヌクレオチド。
【請求項８】
請求項７に記載の単離されたポリヌクレオチドを含む、組換えＤＮＡ構築物。
【請求項９】
組換えアデノ随伴ウイルス（ＡＡＶ）ベクターをコードする、請求項８に記載の組換えＤＮＡ構築物。
【請求項１０】
請求項７に記載の単離されたポリヌクレオチドを含む、組換えＡＡＶベクター。
【請求項１１】
それを必要とする被験体における網膜色素変性症を治療するための医薬であって、前記医薬は、配列番号１からなるＰ２３Ｈ認識配列を認識及び切断する組換えメガヌクレアーゼを含み、
前記組換えメガヌクレアーゼが、第１のサブユニット及び第２のサブユニットを含み、
前記第１のサブユニットが前記Ｐ２３Ｈ認識配列の第１の認識ハーフサイトを認識し、且つ第１の超可変（ＨＶＲ１）領域を含み、
前記第２のサブユニットが前記Ｐ２３Ｈ認識配列の第２の認識ハーフサイトを認識し、且つ第２の超可変（ＨＶＲ２）領域
を含み、
前記組換えメガヌクレアーゼは、配列番号７と少なくとも９７％の配列同一性を有するアミノ酸配列を含む、医薬。
【請求項１２】
常染色体優性網膜色素変性症を治療するためのものである、請求項１１に記載の医薬。
【請求項１３】
前記第１のサブユニットが、配列番号７の残基１９８〜３４４と少なくとも９７％の配列同一性を有するアミノ酸配列を含み、前記第２のサブユニットが、配列番号７の残基７〜１５３と少なくとも９７％の配列同一性を有するアミノ酸配列を含む、請求項１１又は１２に記載の医薬。
【請求項１４】
前記第１のサブユニットが、配列番号７の残基１９８〜３４４を含む、請求項１１〜１３のいずれか１項に記載の医薬。
【請求項１５】
前記第２のサブユニットが、配列番号７の残基７〜１５３を含む、請求項１１〜１４のいずれか１項に記載の医薬。
【請求項１６】
前記組換えメガヌクレアーゼが、配列番号７のアミノ酸配列を含む、請求項１１〜１５のいずれか１項に記載の医薬。
【請求項１７】
前記組換えメガヌクレアーゼが、配列番号５からなる認識配列と比べて、配列番号１からなる前記Ｐ２３Ｈ認識配列を優先的に認識及び切断する、請求項１１〜１６のいずれか１項に記載の医薬。
【請求項１８】
前記被験体における標的細胞へ送達可能であり、前記標的細胞が網膜細胞である、請求項１１〜１７のいずれか１項に記載の医薬。
【請求項１９】
前記組換えメガヌクレアーゼをコードする遺伝子を含む組換えＡＡＶベクターを含む、請求項１１〜１８のいずれか１項に記載の医薬。
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
シース(132)と、
該シース内に配置される長尺状の押圧器(134)と、
該押圧器(134)から遠位方向に延びている複数のワイヤ(224、225)と、
該複数のワイヤによって前記押圧器から径方向外方の位置で支持される複数のマーカバンド(228)と、
複数のマーカコイル(106)を有し前記複数のワイヤを覆って放射状に配置されるステントとを含む脈管補綴体送達装置であって、
前記複数のマーカコイル(106)は前記シース(132)内で複数の補綴突起部の遠位に位置し、これによって、前記押圧器(134)が近位後退すると前記複数のマーカバンド(228)の近位端が前記複数のマーカコイル(106)の遠位端と接触することを特徴とする脈管補綴体送達装置。
【請求項２】
前記複数のワイヤ(224、225)は前記押圧器から離れてしなる請求項１に記載の脈管補綴体送達装置。
【請求項３】
前記複数のワイヤ(224、225)は弧形に形成されている請求項１に記載の脈管補綴体送達装置。
【請求項４】
該脈管補綴体送達装置はさらに、前記押圧器(134)の遠位端にＸ線不透過性マーカバンド(222)を含む請求項１に記載の脈管補綴体送達装置。
【請求項５】
前記押圧器から遠位方向に延びている複数のワイヤ(224、225)は、２ないし８本のワイヤを含む請求項１に記載の脈管補綴体送達装置。
【請求項６】
該脈管補綴体送達装置はさらに、前記押圧器を通り抜けて前記押圧器の遠位に延びているコアワイヤ(222)を含む請求項１に記載の脈管補綴体送達装置。
【請求項７】
前記複数のワイヤは、近位では前記押圧器に接続され、遠位では前記コアワイヤ(222)を覆う遠位接着位置(226)に接続される請求項６に記載の脈管補綴体送達装置。
【請求項８】
前記遠位接着位置(226)はマーカバンドまたは接合部である請求項７に記載の脈管補綴体送達装置。
【請求項９】
前記マーカバンド(228)は、補綴体のマーカコイル(106)と接触して前記補綴体が送達シース内に収納されているときには前記補綴体を動かすように構成されている請求項１に記載の脈管補綴体送達装置。
【請求項１０】
前記マーカコイル(228)は、前記補綴体の近位ループ(104)から放射状に突出している請求項９に記載の脈管補綴体送達装置。
【請求項１１】
前記マーカバンドは、前記複数のワイヤの遠位端と面一である請求項１に記載の脈管補綴体送達装置。
【請求項１２】
請求項１に記載の脈管補綴体送達装置と、
前記押圧器によって押圧される補綴体とを含み、該補綴体は放射状に突出しているマーカコイル(106)を有し、
前記複数のワイヤのマーカバンド(228)は、前記補綴体のマーカコイル(106)の遠位にある脈管補綴体送達システム。
【請求項１３】
前記押圧器(134)を後退させると前記マーカバンド(228)は前記マーカコイル(106)と接触して、これによって前記補綴体を後退させる請求項12に記載の脈管補綴体送達システム。
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
案内ワイヤ(118)を収容する内部管(106)と、
ある長さを有する補綴体(110)と、
前記内部管(106)上を移動可能な押圧要素(104)とを含み、該押圧要素は前記補綴体(110)の近位部を収容するくぼみ(104A)を有する人工血管送出装置であって、該装置は、
前記内部管上を移動可能であり前記補綴体(110)の遠位部を収容するくぼみ(152A)を有する先端部材(152)と、
前記内部管(106)および前記押圧要素(104)を覆って配置される送出シース(105)とを含み、
前記押圧要素(104)が移動すると前記先端部材(152)を前記送出シース(105)に当接する第１の位置から前記送出シース(105)の遠位にあり該送出シース(105)から間隙を空けた第２の位置に動かすように構成され、前記間隙は前記補綴体(110)の長さより短く、前記間隙を越えて前記補綴体(110)を前進できるように構成されていることを特徴とする人工血管送出装置。
【請求項２】
請求項１に記載の人工血管送出装置において、前記押圧要素(104)および前記先端部材(152)はそれぞれ前記内部管(106)を収容する内部通路を有する人工血管送出装置。
【請求項３】
請求項１に記載の人工血管送出装置において、前記先端部材(152)は前記内部管(106)上を移動可能であり、これによって前記先端部材の少なくとも一部分は前記内部管(106)を越えて遠位に位置する人工血管送出装置。
【請求項４】
請求項１に記載の人工血管送出装置において、前記内部管(106)は、前記先端部材の位置変化を制限する寸法に形成された拡張ストッパ(154)を有する人工血管送出装置。
【請求項５】
請求項４に記載の人工血管送出装置において、前記拡径ストッパ(154)は前記内部管(106)の遠位端部に形成されている人工血管送出装置。
【請求項６】
請求項４に記載の人工血管送出装置において、前記先端部材(152)は前記内部管を収容する通路を有し、前記通路は遠位大径部(152B)と近位小径部(152C)を有し、前記拡径ストッパは前記遠位大径部よりも小さく、前記近位小径部よりも大きい人工血管送出装置。
【請求項７】
請求項１に記載の人工血管送出装置において、該装置はさらに、前記押圧要素(104)と連結され該押圧要素(104)を前記内部管上で動かすことができる押圧ロッド(108)を含む人工血管送出装置。
【請求項８】
請求項７に記載の人工血管送出装置において、前記押圧要素(104)は前記押圧ロッド(108)を収容する溝路を有する人工血管送出装置。
【請求項９】
請求項１に記載の人工血管送出装置において、前記先端部材(152)は、送出シース(105)の内部通路内に収まる寸法に形成された近位縮小径部(102A)と、前記送出シース(105)の内部通路よりも大きな遠位拡大径部遠位拡張径部(102B)とを有する含む人工血管送出装置。
【請求項１０】
請求項９に記載の人工血管送出装置において、前記先端部材(152)の前記近位縮小径部(102A)は、前記補綴体の遠位部を収容するくぼみ(152A)を有する人工血管送出装置。
【請求項１１】
請求項９に記載の人工血管送出装置において、前記補綴体は、前記押圧要素のくぼみ内に収まる近位及び拡張遠位バルブ(112)を有する人工血管送出装置。
【請求項１２】
請求項１１に記載の人工血管送出装置において、前記補綴体の拡張バルブ(112)は、端部キャップ(112)によって連結されるワイヤ対(111)を含む人工血管送出装置。
【請求項１３】
請求項１２に記載の人工血管送出装置において、前記押圧要素(104)のくぼみ(104A)は、前記端部キャップを収容する寸法に形成された拡張部と、前記ワイヤを収容する寸法に形成された縮小部とを含む人工血管送出装置。
【請求項１４】
案内ワイヤ(118)を収容する内部管(106)と、
近位及び遠位の拡張バルブ(112)を有し前記内部管を円周方向に取り囲んで配置される補綴体(110)と、
前記内部管上を移動可能であり前記補綴体の近位拡張バルブを収容する寸法に形成されたくぼみ(104A)を有する押圧要素(104)と、
前記内部管(106)および前記押圧要素(104)を覆って配置される送出シース(105)とを含む人工血管送出システムであって、該システムは、
前記内部管(106)上を移動可能であり、前記補綴体の遠位拡張バルブを収容する大きさである寸法に形成されたくぼみ(152A)を有する先端部材(152)を含み、
該先端部材(152)は、前記シースに対して遠位に摺動可能であり、前記補綴体の長さよりも短いシースに対する間隙を形成し、
前記押圧要素(104)を遠位に動かすと、前記間隙を越えて前記補綴体(110)を前進させることを特徴とする人工血管送出システム。
【請求項１５】
送出シース(105)と、
前記送出シース(105)の遠位部内に予め装着され、近位及び遠位の拡張バルブ(112)を有する補綴体(110)と、
前記補綴体(110)に覆われ、ガイドワイヤを収容する内部管(106)と、
前記内部管(106)上を移動可能であり、前記補綴体(110)の遠位バルブ(112)に連結された押圧要素(104)とを含み、
前記送出シース(105)は、前記内部管および前記押圧要素を覆って配置される人工血管キットであって、該キットは、
前記押圧要素(104)に対して利用者が行った動作を介して、前記内部管(106)上を前記シースに当接する第１の位置から前記送出シース(105)の遠位にあり該送出シース(105)から離隔した第２の位置に移動可能な先端部材(152)を含み、該先端部材は前記補綴体(110)の遠位バルブと連結されていることを特徴とする人工血管キット。
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
心外膜アクセスを得るための針であって、前記針は、ルーメンおよび前記ルーメンと連通するサイドポートを定める長尺部材、組織を穿刺するためのエネルギー送給用の鈍い先端、および、前記サイドポートを通してデバイスを導くための案内面、を備える、針。
【請求項２】
前記長尺部材は金属から成り、前記針は、前記長尺部材の外側をカバーする絶縁体をさらに備え、前記鈍い先端は、電極を定めるために電気的に露出し、前記針は、前記長尺部材の金属側壁を通じて前記電極にエネルギーを送給するために操作可能である、請求項１に記載の針。
【請求項３】
前記電極は、前記長尺部材よりも大きな放射線不透過性を有する、請求項２に記載の針。
【請求項４】
開口を定めるために前記サイドポートの近位部を絶縁部がカバーし、前記絶縁部は、前記デバイスが前記サイドポートを通して移動するにつれて、前記デバイスと前記サイドポートの近位縁との間の研磨摩擦を減らすように構成される、請求項１に記載の針。
【請求項５】
電気的リークを減らすために、前記サイドポートに隣接する前記長尺部材の内側表面上の絶縁体、好ましくは、電気的リークを減らすために、前記長尺部材のほとんどまたは実質的に全部の内側表面上の絶縁体、をさらに備える、請求項２〜４のいずれか１項に記載の針。
【請求項６】
長尺部材の露出部を定めるために、前記サイドポートに隣接する前記長尺部材の一部および前記サイドポートの遠位部は、電気的に露出している、請求項２〜４のいずれか１項に記載の針。
【請求項７】
前記ルーメンは前記サイドポートで終端する、または、前記針はそれを通って移動するデバイスのための操作可能な単一のサイドポートを備える、または、前記サイドポートはカプセル形状である、請求項１〜４のいずれか１項に記載の針。
【請求項８】
前記サイドポートの遠位縁は斜角を含む、請求項１〜４のいずれか１項に記載の針。
【請求項９】
前記斜角は、丸い部分および平坦な部分の組合せを含む、請求項８に記載の針。
【請求項１０】
前記サイドポートの近位縁は斜角をつけられる、および／または、前記案内面は一般にＳ字形状の表面を有する、請求項１〜４のいずれか１項に記載の針。
【請求項１１】
前記サイドポートの遠位縁は、電極遠位先端から約１．２７〜３．１８ｍｍ離れて位置する、および、前記サイドポートの遠位縁は、好ましくは電極遠位先端から約２．２９ｍｍ離れて位置する、請求項２〜４のいずれか１項に記載の針。
【請求項１２】
絶縁部が前記サイドポートの近位部をカバーし、そして、前記案内面の遠位端が斜角をつけられ、それにより、前記サイドポートから前進するときに、前記デバイスは、前記針の側部から出て、前方向に導かれる、請求項１に記載の針。
【請求項１３】
囲心腔にアクセスするシステムであって、前記システムは、心膜に接触するための請求項１〜１２のいずれか１項に記載の針、および、前記針の鈍い先端によりエネルギーを送給するための、そして前記針が前記心膜をテンティングしているときに前記針を用いて前記心膜を穿刺するためのユニット、を備える、システム。
【請求項１４】
前記心膜が穿刺されるときに前記針を通して前記囲心腔へと前進させるために配置されるガイドワイヤをさらに備える、請求項１３に記載のシステム。
【請求項１５】
前記ガイドワイヤは小さい直径を有する第１のガイドワイヤであり、前記システムは、
前記針が引っ込められるときに前記心膜による穴を拡張するために前進するように配置される拡張器と、
前記穴が拡張されるときに前記拡張器を通じて前記囲心腔へと前進するように配置される外筒と、
前記第１のガイドワイヤよりも大きい直径を有する第２のガイドワイヤであって、前記外筒が引き込み可能な前記第１のガイドワイヤの引き込みに際して、前記囲心腔へと前進するように配置される、第２のガイドワイヤと、
をさらに備える、請求項１４に記載のシステム。
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
第２の対象に近接又は接触する第１の対象のバイタルサインを監視するシステムであって、
前記第１の対象を遠隔から監視し、前記第１の対象の第１のバイタルサインに関連付けられる撮像信号を取得する撮像ユニットと、
前記第２の対象の第２のバイタルサインに関連付けられるセンサ信号を取得する検知ユニットであって、前記検知ユニットが、前記第２の対象に近接して又はこれに配置され、前記第１のバイタルサインは、前記第２のバイタルサインと同じタイプのものである、検知ユニットと、
前記センサ信号を考慮に入れて、前記第１の対象の前記第１のバイタルサインを、前記撮像信号における前記第２の対象の前記第２のバイタルサインからの影響から分離することにより、前記撮像信号から前記第１の対象の第１のバイタルサインを得る分析ユニットとを有する、システム。
【請求項２】
前記撮像ユニットが、前記第２の対象を支持する対象支持構造体又は前記対象支持構造体に対して所定の位置に配置される、請求項１に記載のシステム。
【請求項３】
対象支持構造体を更に有し、
前記撮像ユニットが、前記対象支持構造体に移動可能に配置される保持構造体に配置される、請求項１に記載のシステム。
【請求項４】
前記保持構造体を作動させるアクチュエータと、ユーザからの制御信号に基づき、前記アクチュエータを制御するコントローラとを更に有する、請求項３に記載のシステム。
【請求項５】
前記アクチュエータを自動的に制御するコントローラを更に有する、請求項４に記載のシステム。
【請求項６】
前記第１の対象を照らす照明源を更に有する、請求項１に記載のシステム。
【請求項７】
前記検知ユニットが、心拍数信号、呼吸数信号又は血中酸素飽和度信号の１つ又は複数を得る、請求項１に記載のシステム。
【請求項８】
前記撮像ユニットが、フォトプレチスモグラフィＰＰＧ信号を取得し、前記分析ユニットは、前記センサ信号を考慮に入れて前記ＰＰＧ信号から前記第１の対象の第１のバイタルサインを得る、請求項１に記載のシステム。
【請求項９】
バイタルサイン及び／又は測定の他の情報を表示するディスプレイを更に有し、前記ＰＰＧ信号が得られる領域が、前記ディスプレイにより表示される、請求項１に記載のシステム。
【請求項１０】
前記ＰＰＧ信号が得られる関心領域に光を投影するプロジェクタを更に有する、請求項１に記載のシステム。
【請求項１１】
前記分析ユニットが、複数の非重複空間セグメントにおける前記撮像信号を分割し、前記セグメントと前記センサ信号から得られる前記第２のバイタルサインとを相関させることにより、前記撮像信号における前記第２の対象の皮膚から前記第１の対象の皮膚を識別する、請求項１に記載のシステム。
【請求項１２】
第２の対象に近接又は接触する第１の対象のバイタルサインを得るプロセッサであって、
前記第１の対象のバイタルサインに関連付けられる撮像信号を受信する第１の受信機と、
前記第２の対象の第２のバイタルサインに関連付けられるセンサ信号を受信する第２の受信機であって、前記第１のバイタルサインが、前記第２のバイタルサインと同じタイプである、第２の受信機と、
前記センサ信号を考慮に入れて、前記第１の対象の前記第１のバイタルサインを、前記撮像信号における前記第２の対象の前記第２のバイタルサインからの影響から分離することにより、前記撮像信号から前記第１の対象の第１のバイタルサインを得る処理ユニットとを有する、プロセッサ。
【請求項１３】
第２の対象に近接又は接触する第１の対象のバイタルサインをモニタリングする方法において、
前記第１の対象の第１のバイタルサインに関連付けられる撮像信号を取得するステップと、
前記第２の対象の第２のバイタルサインに関連付けられるセンサ信号を取得するステップであって、前記センサ信号が、前記第２の対象に近接して、又は前記第２の対象において得られ、前記第１のバイタルサインは、前記第２のバイタルサインと同じタイプのものである、ステップと、
前記センサ信号を考慮に入れて、前記第１の対象の前記第１のバイタルサインを、前記撮像信号における前記第２の対象の前記第２のバイタルサインからの影響から分離することにより、前記撮像信号から前記第１の対象の第１のバイタルサインを得るステップとを有する、方法。
【請求項１４】
コンピュータにおいて実行されるとき、請求項１３に記載の方法のステップを前記コンピュータに実行させるためのプログラムコード手段を有するコンピュータプログラム。
【請求項１５】
第２の対象に近接又は接触する第１の対象のバイタルサインを監視するカンガルーケア椅子であって、
前記第１の対象の第１のバイタルサインに関連付けられる撮像信号を得るため、ある距離から前記第１の対象を監視する撮像ユニットと、
前記第２の対象の第２のバイタルサインに関連付けられるセンサ信号を取得する検知ユニットであって、前記検知ユニットが、前記カンガルーケア椅子に配置され、前記第１のバイタルサインは、前記第２のバイタルサインと同じタイプのものである、検知ユニットと、
前記センサ信号を考慮に入れて、前記第１の対象の前記第１のバイタルサインを、前記撮像信号における前記第２の対象の前記第２のバイタルサインからの影響から分離することにより、前記撮像信号から前記第１の対象の第１のバイタルサインを得る分析ユニットに前記撮像信号及び検知信号を送信する送信機とを有する、カンガルーケア椅子。
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
一方向に延びる支持部材と、
前記支持部材の一方の端部部分に形成されており、中を通過させるように形成されている挿通穴を含む、第１の結合部分と、
前記支持部材の他方の端部部分に形成されている、第２の結合部分と、
前記第１の結合部分又は前記第２の結合部分の端部部分に形成されており、ストラップと接続される、ストラップ接続部分と、を備えるヘッドバンド部材であって、
前記第２の結合部分の少なくとも一部が、前記第１の結合部分の前記挿通穴内に挿入されることにより、前記第１の結合部分及び前記第２の結合部分が、互いに結合されるように設けられ、前記ヘッドバンド部材が、前記ストラップを介して呼吸用マスクのマスク本体に接続され、前記呼吸用マスクの着用状態が維持される、ヘッドバンド部材。
【請求項２】
互いに結合された２つのヘッドバンド部材を備える、ヘッドクレードルであって、前記ヘッドバンド部材が、
一方向に延びるバンド部分と、
前記バンド部分の一方の端部部分に形成されており、中を通過させるように形成されている挿通穴を有する、第１の結合部分と、
前記バンド部分のもう一方の端部部分に形成されている、第２の結合部分と、
前記第１の結合部分又は前記第２の結合部分の端部部分に形成されており、マスク本体と接続されているストラップと接続される、ストラップ接続部分と、を含み、
前記２つのヘッドバンド部材のうち、一方の側の前記第２の結合部分の少なくとも一部が、他方の側の前記第１の結合部分の前記挿通穴内に挿入されて結合され、前記他方の側の前記第２の結合部分の少なくとも一部が、前記一方の側の前記第１の結合部分の前記挿通穴内に挿入されて結合されており、前記２つのヘッドバンド部材が、前記第１の結合部分及び前記第２の結合部分の中心の周りで、互いに対して所定の角度で枢動可能となるように、かつ展開することが可能、又は展開状態から再び畳み込み可能となるように設けられている、ヘッドクレードル。
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
組織損傷を示す組織の変化を皮膚上に肉眼で見えるようになる前に検出する方法であって、
変化を評価すべき被験者の皮膚部位を選択するステップと、
前記被験者の姿勢をデータ収集のために最適化するステップと、
カメラを用いて前記皮膚部位の少なくとも１つの画像を周囲光において取得することによって、データ収集のための基準を確立するステップと、
周囲光を低減するステップと、
紫外波長、可視波長及び赤外波長のうちの１つ又は全部の光を放出するように構成された代替光源（ＡＬＳ）を用いて前記皮膚部位を照明するステップと、
前記カメラを用いて、異なる波長の光によって照明された前記皮膚部位の一連の画像を取得するステップと、
前記組織の変化について画像を評価するステップと、
観察された前記組織のあらゆる変化を記録するステップと、
を含むことを特徴とする方法。
【請求項２】
前記姿勢を最適化するステップは、前記被験者を横向きに寝かせるステップを含む、
請求項１に記載の方法。
【請求項３】
前記皮膚部位を照明する前に、代替光源（ＡＬＳ）を予備始動させて最大光度を取得するステップをさらに含む、
請求項１に記載の方法。
【請求項４】
前記光の波長は、約４１５〜４４５ｎｍの紫色波長、約４５５〜５１５ｎｍの青色波長、及び約５３５〜５７５ｎｍの緑色波長である、
請求項１に記載の方法。
【請求項５】
選択された光の波長に特化したレンズで照明された皮膚を観察するステップをさらに含む、
請求項１に記載の方法。
【請求項６】
黄色カメラレンズを用いて紫色波長を観察するステップと、オレンジ色カメラレンズを用いて青色波長を観察するステップと、赤色カメラレンズを用いて緑色波長を観察するステップとをさらに含む、
請求項５に記載の方法。
【請求項７】
黄色カメラレンズと黄色ゴーグルとを用いて４１５ｎｍ及び４４５ｎｍの波長の紫色スペクトルを観察するステップと、オレンジ色カメラレンズとオレンジ色ゴーグルとを用いて４５５ｎｍ、４７５ｎｍ、４９５ｎｍ及び５１５ｎｍの波長の青色スペクトルを観察するステップと、赤色カメラレンズと赤色ゴーグルとを用いて５３５ｎｍ、５５５ｎｍ及び５７５ｎｍの波長の緑色スペクトルを観察するステップとをさらに含む、
請求項５に記載の方法。
【請求項８】
前記黄色カメラレンズと前記黄色ゴーグルとを用いて４５５ｎｍ及び４７５ｎｍの波長の青色スペクトルを観察するステップをさらに含む、
請求項７に記載の方法。
【請求項９】
一連の画像を取得するステップは、各被験者の最低１２枚の写真を撮影するステップを含む、
請求項１に記載の方法。
【請求項１０】
前記選択するステップは、前記被験者の踵、骨盤、肩、脊柱、手首又は肘を覆う皮膚部位を選択するステップを含む、
請求項１に記載の方法。
【請求項１１】
一連の画像を取得する前に、前記カメラのＦストップを２．８〜８に設定するステップ、及び前記カメラの露出時間を１／１００秒に設定するステップをさらに含む、
請求項１に記載の方法。
【請求項１２】
前記カメラを前記被験者から約６インチ〜約２４インチの距離に配置するステップをさらに含む、
請求項１に記載の方法。
【請求項１３】
前記画像を評価するステップは、前記組織による光の吸収量を観察するステップを含む、
請求項１に記載の方法。
【請求項１４】
観察された前記組織の変化を記録するステップは、使用した前記波長と検出された組織損傷の数との間の関係を求めるステップを含む、
請求項１に記載の方法。
【請求項１５】
前記方法を週に１回ずつ６週間連続して繰り返すステップをさらに含む、
請求項１に記載の方法。
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
複数の車両の少なくとも１つを自動化又は半自動化して動作可能にするために複数の車両を隊列走行させる方法であって、
ネットワークオペレーションセンター（ＮＯＣ）において、前記複数の車両の少なくとも１つに関するデータであって、１つ以上の車両の位置、時刻、道路状況、天候、交通、車両のタイプ、車両の経路、車両の目的地、進行方向、及び隊列走行の対応可能性のうち少なくとも１つを含むデータを受信するステップと、
前記ＮＯＣによって、前記受信したデータに基づいて、前記複数の車両の少なくとも１つから１つ以上の隊列走行し得る相手を決定するステップと、
前記ＮＯＣによって、隊列走行し得る相手のリスト、及び隊列走行の相手との間のセキュアな通信を可能にする認証キーを、前記複数の車両の少なくとも１つに送信するステップと、
を含む方法。
【請求項２】
前記ＮＯＣによって、前記複数の車両の少なくとも１つの運転者が目標のランデブー地点に到達するためのランデブー情報を、前記複数の車両の少なくとも１つに送信するステップを含む、請求項１に記載の方法。
【請求項３】
前記ランデブー情報は速度の調整を示唆する、請求項２に記載の方法。
【請求項４】
前記隊列走行において先行車両であるべき車両及び後続車両であるべき車両を、前記ＮＯＣにおいて決定するステップを含む、請求項１から３のいずれかに記載の方法。
【請求項５】
前記複数の車両はトラックである、請求項１から４のいずれかに記載の方法。
【請求項６】
前記ＮＯＣは、前記複数の車両の少なくとも１つとセルラーリンクを介して通信する、請求項１から５のいずれかに記載の方法。
【請求項７】
前記ＮＯＣは、前記複数の車両の少なくとも１つと前記ＮＯＣとの間にセキュアな通信リンクを確立及び維持するステップを含む、請求項１から６のいずれかに記載の方法。
【請求項８】
前記複数の車両の少なくとも１つから、前記複数の車両の少なくとも１つが隊列走行に対応可能であることを示すメッセージを、前記ＮＯＣにおいて受信するステップを含む、請求項１から７のいずれかに記載の方法。
【請求項９】
前記隊列走行し得る相手を決定するステップは、前記ＮＯＣのデータベースに記憶された前記複数の車両の走行予測を検索するステップを含む、請求項１から８のいずれかに記載の方法。
【請求項１０】
前記ＮＯＣにおいて、前記複数の車両の少なくとも１つまでの類似の経路を用いて走行予測を特定するステップを含む、請求項７に記載の方法。
【請求項１１】
前記類似の経路を用いて走行予測を特定するステップは、共通の道路区分についての走行予測を比較するステップを含む。請求項１０に記載の方法。
【請求項１２】
前記ＮＯＣによって、前記隊列走行し得る相手のリストにおいて、隊列走行し得る相手それぞれに、隊列走行の申し出を送信するステップを含む、請求項１から１１のいずれかに記載の方法。
【請求項１３】
前記１つ以上の隊列走行し得る相手を決定するステップは、費用対効果の分析を実行するステップを含む、請求項１から１２のいずれかに記載の方法。
【請求項１４】
メモリと、
前記メモリに結合され、請求項１から１３のいずれかに記載の方法を実行するように構成される、少なくとも１つのプロセッサと、
を備える、ネットワークオペレーションセンター。
【請求項１５】
請求項１から１３のいずれかに記載の方法を含む動作をプロセッサに動作を実行させる命令を記憶する、コンピュータ可読媒体。
【請求項１６】
隊列走行の形成のために複数の車両から車両の対を形成する方法であって、
前記複数の車両から第１の車両の走行予測を生成するステップを含み、
前記走行予測を生成するステップは、
プロセッサにおいて、前記第１の車両の位置情報を受信するステップと、
前記プロセッサに関連するデータベースに記憶された経路情報にアクセスするか、又は前記プロセッサにおいて前記データベースに記憶された既知の許容可能な経路に基づいて経路情報を決定することにより、前記第１の車両の経路情報を読み出すステップと、
プロセッサにおいて、前記第１の車両の位置情報を前記経路情報と比較するステップと、
前記位置情報及び前記経路情報並びに期待される速度に少なくとも部分的に基づいて、前記第１の車両が経路上の通過点に到達する最大及び最小の時間を決定するステップと、
前記第１の車両の走行予測を生成するステップと、
を含む方法。
【請求項１７】
前記第１の車両の走行予測を、前記第１の車両と対を形成するのに適する他の車両を特定するリモートプロセッサに通信するステップを含む、請求項１６に記載の方法。
【請求項１８】
前記経路に沿う１つ以上の道路区分は、前記隊列走行の形成に好適な道路区分である、請求項１６又は１７に記載の方法。
【請求項１９】
前記第１の車両が静止している間に実行される、請求項１６から１８のいずれかに記載の方法。
【請求項２０】
前記第１の車両が動いている間に実行される、請求項１６から１９のいずれかに記載の方法。
【請求項２１】
前記データベースから第２の車両の走行予測を読み出すステップと、
前記第１及び前記第２の車両のそれぞれの前記走行予測を比較して、前記それぞれの走行予測に共通の物理的な道路区分を特定するステップと、
前記プロセッサにおいて、前記それぞれの走行予測から、前記第１及び前記第２の車両がタイミングの基準に対して許容される時間に通過点に到着するか否かを判定するステップと、
を含む、請求項１６に記載の方法。
【請求項２２】
前記プロセッサにおいて、前記それぞれの走行予測から、前記第１及び前記第２の車両が適合する車両クラスにあるか否かを決定するステップを含む、請求項２１に記載の方法。
【請求項２３】
前記第１及び前記第２の車両で隊列走行を形成するステップを含む、請求項２１又は２２に記載の方法。
【請求項２４】
ネットワークオペレーションセンター（ＮＯＣ）において実行される、請求項１６から２３のいずれかに記載の方法。
【請求項２５】
前記第１の車両に配置されたプロセッサで実行される、請求項１６から２４のいずれかに記載の方法。
【請求項２６】
前記第１及び前記第２の車両はトラックである、請求項１６から２５のいずれかに記載の方法。
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
オンセル・インジケータを含むバッテリであって、
第１の端子と第２の端子とを含む少なくとも１つの電気化学セルと、
少なくとも１つのオンセル・インジケータ端子とアンテナとを備えた少なくとも１つのオンセル・インジケータと、
少なくとも１つのオンセル・インジケータ端子接点と少なくとも１つの電気化学セル接点とを備えたプリント回路ボードと、
前記少なくとも１つの電気化学セルの前記第１の端子と電気的に接続されている前記少なくとも１つの電気化学セル接点と、
オンセル・インジケータ相互接続とプリント回路ボード相互接続とを備えた少なくとも１つの導電性トレースであって、前記少なくとも１つの導電性トレースは、前記アンテナに隣接して位置決めされ、
前記少なくとも一つの導電性トレースと前記アンテナとの間に位置決めされたインシュレータと、
前記少なくとも１つのオンセル・インジケータ端子と電気的に接続された前記オンセル・インジケータ相互接続と、
前記少なくとも１つのオンセル・インジケータ端子接点と電気的に接続されている前記プリント回路ボード相互接続と、
前記プリント回路ボードと電気的に接続されている少なくとも１つの集積回路と、
を備える、オンセル・インジケータを含むバッテリ。
【請求項２】
前記プリント回路ボードは、前記プリント回路ボードおよび前記電気化学セルと電気的に接続されている少なくとも１つのスペーサを備える、請求項１に記載のオンセル・インジケータを含むバッテリ。
【請求項３】
第１の電気化学セル接点と第２の電気化学セル接点とを備えており、前記第１の電気化学セル接点と前記第２の電気化学セル接点とは、前記プリント回路ボードの底面の上にあり、前記第１の電気化学セル接点は前記電気化学セルの前記第１の端子と電気的に接続されており、前記第２の電気化学セル接点は前記電気化学セルの前記第２の端子と電気的に接続されている、請求項１に記載のオンセル・インジケータを含むバッテリ。
【請求項４】
第１の電気化学セル接点と第２の電気化学セル接点とを備えており、前記第１の電気化学セル接点は前記プリント回路ボードの底面上にあり、前記第２の電気化学セル接点は前記プリント回路ボードの上面の上にあり、前記第１の電気化学セル接点は前記電気化学セルの前記第１の端子と電気的に接続されており、前記第２の電気化学セル接点は前記電気化学セルの前記第２の端子と電気的に接続されている、請求項１に記載のオンセル・インジケータを含むバッテリ。
【請求項５】
第１の電気化学セル接点と第２の電気化学セル接点とを備えており、前記第１の電気化学セル接点は前記プリント回路ボードの底面および上面の上にあり、前記第２の電気化学セル接点は前記プリント回路ボードの底面および上面の上にあり、前記第１の電気化学セル接点は前記電気化学セルの前記第１の端子と電気的に接続されており、前記第２の電気化学セル接点は前記電気化学セルの前記第２の端子と電気的に接続されている、請求項１に記載のオンセル・インジケータを含むバッテリ。
【請求項６】
第１の電気化学セル接点と第２の電気化学セル接点とを備えており、前記第１の電気化学セル接点は前記プリント回路ボードの底面および上面の上にあり、前記第２の電気化学セル接点は前記プリント回路ボードの底面の上にあり、前記第１の電気化学セル接点は前記電気化学セルの前記第１の端子と電気的に接続されており、前記第２の電気化学セル接点は前記電気化学セルの前記第２の端子と電気的に接続されている、請求項１に記載のオンセル・インジケータを含むバッテリ。
【請求項７】
第１の電気化学セル接点と第２の電気化学セル接点とを備えており、前記第１の電気化学セル接点は前記プリント回路ボードの底面および上面の上にあり、前記第２の電気化学セル接点は前記プリント回路ボードの上面の上にあり、前記第１の電気化学セル接点は前記電気化学セルの前記第１の端子と電気的に接続されており、前記第２の電気化学セル接点は前記電気化学セルの前記第２の端子と電気的に接続されている、請求項１に記載のオンセル・インジケータを含むバッテリ。
【請求項８】
前記集積回路が前記プリント回路ボードの底面の上に位置決めされている、請求項１に記載のオンセル・インジケータを含むバッテリ。
【請求項９】
前記集積回路が前記プリント回路ボードの内部に位置決めされている、請求項１に記載のオンセル・インジケータを含むバッテリ。
【請求項１０】
前記少なくとも１つのオンセル・インジケータ端子接点が、前記プリント回路ボードの底面の上に、または、前記プリント回路ボードの上面の上に位置決めされている、請求項１に記載のオンセル・インジケータを含むバッテリ。
【請求項１１】
少なくとも１つのタブ相互接続が、前記プリント回路ボードの前記少なくとも１つの電気化学セル接点と電気的に接続されている、請求項１に記載のオンセル・インジケータを含むバッテリ。
【請求項１２】
前記絶縁体が誘電体を備える、請求項１に記載のオンセル・インジケータを含むバッテリ。
【請求項１３】
通信回路を更に備えており、前記通信回路は、無線周波数識別回路と、近距離無線通信回路と、ブルートゥース回路と、ブルートゥース低エネルギ回路と、ＷｉＦｉ回路と、Ｚｉｇｂｅｅ回路と、ＬｏＲａＷａｎ回路と、Ｚ−波回路と、それらのいずれかの組合せとを備える、請求項１に記載のオンセル・インジケータを含むバッテリ。
【請求項１４】
磁気ダイバータをさらに備える、請求項１に記載のオンセル・インジケータを含むバッテリ。
【請求項１５】
前記集積回路がメモリを備える、請求項１に記載のオンセル・インジケータを含むバッテリ。
【請求項１６】
遠隔バッテリ指示システムであって、
少なくとも１つのリーダと、
オンセル・インジケータを含む少なくとも１つのバッテリであって、
第１の端子と第２の端子とを含む少なくとも１つの電気化学セルと、
少なくとも１つのオンセル・インジケータ端子とアンテナとを備えた少なくとも１つのオンセル・インジケータと、
少なくとも１つのオンセル・インジケータ端子接点と少なくとも１つの電気化学セル接点とを備えたプリント回路ボードと、
前記少なくとも１つの電気化学セルの前記第１の端子と電気的に接続されている前記少なくとも１つの電気化学セル接点と、
オンセル・インジケータ相互接続とプリント回路ボード相互接続とを備えた少なくとも１つの導電性トレースと、前記少なくとも１つの導電性トレースは、前記アンテナに隣接して位置決めされ、
前記少なくとも１つの導電性トレースと前記アンテナとの間に位置決めされたインシュレータと、
前記少なくとも１つのオンセル・インジケータ端子と電気的に接続された前記オンセル・インジケータ相互接続と、
前記少なくとも１つのオンセル・インジケータ端子接点と電気的に接続されている前記プリント回路ボード相互接続と、
前記プリント回路ボードと電気的に接続されている少なくとも１つの集積回路と、
通信回路と、
を備える、オンセル・インジケータを含む少なくとも１つのバッテリと、
を備える、遠隔バッテリ指示システム。
【請求項１７】
前記少なくとも１つのバッテリが、磁気ダイバータを備えたオンセル・インジケータを含んでいる、請求項１６に記載の遠隔バッテリ指示システム。